(57)【特許請求の範囲】
【請求項１】
コイルへの通電に応じてプランジャが進退する電磁石装置と、
前記プランジャの進退に応じて回転する連動レバーと、
可動接点を有し前記連動レバーに保持されて前記連動レバーとともに回転する可動接触子と、
前記可動接触子の回転に応じて前記可動接点と接触又は開離する固定接点と、
前記可動接触子に一端側が固着されるとともに、定位置に固定された端子板に他端側が固着される可撓電線と、
前記可撓電線と当接することによって前記可撓電線から前記可動接触子に加えられる張力を低減して、前記可撓電線の張力による前記可動接触子の傾きを抑制する傾き抑制手段が、ケース内部に収納されたことを特徴とするリモコンリレー。
【請求項２】
前記傾き抑制手段は、前記ケースの内面に設けられ、前記可撓電線と当接することによって前記可撓電線から前記可動接触子に加えられる張力を低減する突起からなることを特徴とする請求項１記載のリモコンリレー。
【請求項３】
前記傾き抑制手段は、前記連動レバーと一体に設けられ、前記可撓電線と当接することによって前記可撓電線から前記可動接触子に加えられる張力を低減する突起からなることを特徴とする請求項１記載のリモコンリレー。
【発明の詳細な説明】
【技術分野】
【０００１】
本発明は、リモコンリレーに関するものである。
【背景技術】
【０００２】
従来、例えば特許文献１に示されるようなラッチング形のリモコンリレーが提供されている。
【０００３】
このリモコンリレーは、一巻線型のコイルを有しこのコイルへの通電方向に応じてプランジャが進退する有極電磁石と、プランジャの進退動作に応じて接点部のオン／オフを切り替える開閉機構部とを備えている。
【０００４】
図９（ａ）〜（ｃ）は開閉機構部の要部を示す。この開閉機構部は、プランジャ（図示せず）の進退に応じて可動接触子４０を揺動させることで、可動接触子４０に固着された可動接点４１を固定接点５１に接触又は開離させる連動レバー３２と、接圧ばね３５とを備えている。
【０００５】
連動レバー３２は絶縁性の合成樹脂成形品からなり、プランジャの先端部に取り付けた軸ピン（図示せず）が、本体部３２ａの軸孔３２ｂに挿入されることによって、プランジャの先端部に回転自在に連結されている。また連動レバー３２は、有極電磁石のコイル枠（図示せず）に保持された軸ピン（図示せず）を、本体部３２ａの中間部に設けられた軸孔３２ｅに挿入させることによって、コイル枠に回転自在に支持されている。したがって、コイルへの通電方向に応じて、プランジャが図９（ｂ）中の左右方向に進退すると、連動レバー３２は軸孔３２ｅに挿入された軸ピンを中心として揺動するのである。
【０００６】
図９（ｂ）に示すように連動レバー３２の本体部３２ａの左側には可動接触子４０が配置されており、本体部３２ａには、可動接触子４０との対向面が開口する略コ型のばね受け部３８が設けられている。ばね受け部３８は、コイルばねからなる接圧ばね３５の一端部を保持する。接圧ばね３５の他端は、本体部３２ａとばね受け部３８との間に挿入される可動接触子４０に接触する。
【０００７】
可動接触子４０は長尺の板金からなり、長手方向の一端部（下端部）には可動接点４１が固着され、他端側（上端側）には編組銅線よりなる可撓電線４２の一端が固着されている。可動接触子４０の上端部は前側に折り曲げられ、この折曲部４０ａに設けられた切欠溝４０ｂに可撓電線４２は差し込まれる。可撓電線４２は、可動接触子４０との固着部位から上側に導かれて、切欠溝４０ｂに挿入された後、下側に曲げ返され、その先端はケース１０内に固定された端子板（図示せず）に固着されている。
【０００８】
また、可動接触子４０の長手方向の中間部には、接圧ばね３５のばね座となる突部（図示せず）が設けられ、この突部よりも下方には、連動レバー３２の位置決め突起３２ｃが挿入される貫通孔４０ｃが設けられている。
【０００９】
連動レバー３２には、位置決め突起３２ｃの側方に、表面が湾曲して可動接触子４０が当接する支点突起３２ｄが設けられており、この支点突起３２ｄに可動接触子４０が当接するようになっている。
【００１０】
而して、本体部３２ａとばね受け部３８の間に可動接触子４０を配置し、位置決め突起３２ｃを貫通孔４０ｃに挿入し、ばね受け部３８に一端が保持された接圧ばね３５の他端を可動接触子４０に保持させることで、可動接触子４０が連動レバー３２に保持される。
【００１１】
ここで、コイルへの通電に応じてプランジャが図９（ｂ）中の左側へ移動すると、連動レバー３２が軸孔３２ｅを中心として図９（ｂ）中の時計回りに回転し、可動接点４１が固定接点５１に接触する。可動接触子４０は支点突起３２ｄに当接しており、接圧ばね３５によって支点突起３２ｄを中心として右回りに回転する力が付与されているから、可動接点４１の固定接点５１に対する接触圧が接圧ばね３５によって得られることになる。
【００１２】
一方、コイルへの通電方向が切り替えられてプランジャが図９（ｂ）中の右側へ移動すると、連動レバー３２が軸孔３２ｅを中心として図９（ｂ）中の反時計回りに回転し、可動接点４１が固定接点５１から開離する。
【先行技術文献】
【特許文献】
【００１３】
【特許文献１】特開２００２−１１００１３号公報
【発明の概要】
【発明が解決しようとする課題】
【００１４】
上記構成のリモコンリレーでは、可動接触子４０に一端が固着された可撓電線４２は、可動接触子４０との固着部位から上側に導かれて、可動接触子４０の切欠溝４０ｂに挿入された後、下側に曲げ返されている。ここで、連動レバー３２及び可動接触子４０の揺動動作を妨げないように、可撓電線４２は、連動レバー３２及び可動接触子４０とケース１０の内面との間の空間に通されて（図９（ｃ）参照）、ケース１０の下側に配置された端子板（図示せず）に接続される。
【００１５】
そのため、図９（ｄ）に示すように可撓電線４２の張力によって、可撓電線４２が曲げられた方向（図中右側）へと可動接触子４０の上部が引っ張られ、可動接触子４０が斜めに傾く可能性があった。尚、図９（ａ）（ｂ）（ｄ）では可撓電線４２を省略して図示してある。可動接触子４０が斜めに傾くと、接点同士の接触位置がずれて、接圧が低下したり接点バウンスが発生するなどし、可動接点４１及び固定接点５１の消耗に偏りが生じることで、開閉寿命が低下するという問題もあった。
【００１６】
本発明は上記課題に鑑みて為されたものであり、その目的とするところは、可撓電線の張力によって可動接触子が傾くのを抑制したリモコンリレーを提供することにある。
【課題を解決するための手段】
【００１７】
上記課題を解決するために、本発明のリモコンリレーでは、電磁石装置と連動レバーと可動接触子と固定接点と可撓電線と傾き抑制手段が、ケース内部に収納されている。電磁石装置は、コイルへの通電に応じてプランジャが進退する。連動レバーは、プランジャの進退に応じて回転する。可動接触子は、可動接点を有し連動レバーに保持されてこの連動レバーとともに回転する。固定接点は、可動接触子の回転に応じて可動接点と接触又は開離する。可撓電線は、可動接触子に一端側が固着されるとともに、定位置に固定された端子板に他端側が固着される。傾き抑制手段は、可撓電線と当接することによって可撓電線から可動接触子に加えられる張力を低減して、可撓電線の張力による可動接触子の傾きを抑制する。本発明のリモコンリレーは上記の構成を具備することを特徴とする。
【００１８】
このリモコンリレーにおいて、傾き抑制手段は、ケースの内面に設けられ、可撓電線と当接することによってこの可撓電線から可動接触子に加えられる張力を低減する突起からなることも好ましい。
【００１９】
また、このリモコンリレーにおいて、傾き抑制手段は、連動レバーと一体に設けられ、可撓電線と当接することによってこの可撓電線から可動接触子に加えられる張力を低減する突起からなることも好ましい。
【発明の効果】
【００２１】
本発明によれば、傾き抑制手段が、可撓電線の張力によって可動接触子が傾くのを抑制している。したがって、可動接触子に設けた可動接点と固定接点との接触位置が安定するから、接圧が安定し、また接点バウンスが起こりにくくなるので、接点の消耗に偏りができにくくなって、開閉寿命の低下を抑制できるという効果がある。
【図面の簡単な説明】
【００２２】
【図１】本実施形態のリモコンリレーを示し、（ａ）はカバーの裏面図、（ｂ）は要部の断面図である。
【図２】同上のリモコンリレーの分解斜視図である。
【図３】同上のリモコンリレーを示し、カバーを外した状態の側面図である。
【図４】同上のリモコンリレーに用いられる有極電磁石の分解斜視図である。
【図５】同上のリモコンリレーに用いられる開閉機構部の他の形態を示し、（ａ）は正面図、（ｂ）は側面図、（ｃ）はケース内に収納された状態の断面図である。
【図６】同上のリモコンリレーのまた別の形態を示し、（ａ）は断面図、（ｂ）はボディの裏面図である。
【図７】（ａ）は同上のリモコンリレーを用いる遠隔監視制御システムの概略構成図、（ｂ）はリモコンリレーの内部回路図である。
【図８】同上の遠隔監視制御システムに用いる伝送信号の説明図である。
【図９】従来のリモコンリレーに用いられる開閉機構部を示し、（ａ）は正面図、（ｂ）は側面図、（ｃ）はケースに収納された状態の断面図、（ｄ）は可動接触子が傾いた状態の説明図である。
【発明を実施するための形態】
【００２３】
本発明の技術思想を、遠隔監視制御システムに用いられるラッチング形のリモコンリレーに適用した実施形態について図１〜図８に基づいて説明する。尚、以下の説明では特に断りがないかぎり、図３に示す向きにおいて上下左右の方向を規定する。
【００２４】
図２はリモコンリレー１の分解斜視図であり、このリモコンリレー１のケース１０は、分電盤協約寸法として規格化されている１個モジュール寸法（単位寸法）に設定されている。このケース１０は、幅方向の一面が開口した略箱状の合成樹脂成形品からなるボディ１１と、ボディ１１の開口を覆う合成樹脂成形品からなるカバー１２とで構成される。ボディ１１およびカバー１２にはそれぞれ複数の組立孔１３，１４が形成されている。これらの組立孔１３，１４にカバー１２側からかしめピン１５を挿入し、ボディ１１におけるカバー１２とは反対側の側面に突出するかしめピン１５の先端部をかしめることによって、ボディ１１とカバー１２とが結合される。
【００２５】
図２及び図３に示すように、ケース１０の内部には、コイルへの通電に応じてプランジャが進退（前進又は後進）する有極電磁石２０（電磁石装置）と、プランジャの進退動作に応じて接点部のオン／オフを切り替える開閉機構部７０が収納されている。
【００２６】
図１及び図２に示すように、有極電磁石２０は、コイル２５と、コイル枠２６と、プランジャ２７と、接極子２８ａ，２８ｂと、レシジュアルプレート２９と、ヨーク３０と、永久磁石２３，２３と、補助ヨーク２４，２４とを主要な構成として備える。
【００２７】
ヨーク３０は、全体として四角筒状をなし、プランジャ２７の進退方向（図３の左右方向）において２分割された２個の分割ヨーク３１Ａ，３１Ｂで構成される。２個の分割ヨーク３１Ａ，３１Ｂは磁性材料により同一の形状に形成されており、矩形板状の中央片３１ａと、中央片３１ａの両側縁から一方向にそれぞれ突出する脚片３１ｂ，３１ｂとで、略コ形に形成されている。各分割ヨーク３１Ａ，３１Ｂの中央片３１ａには、プランジャ２７の前端側又は後端側が挿入される挿入孔３１ｃが設けられている。２個の分割ヨーク３１Ａ，３１Ｂは、プランジャ２７の進退方向に並べて、脚片３１ｂの先端面同士が所定のギャップを介して対向するように配置され、全体として四角筒状をなしている。両分割ヨーク３１Ａ，３１Ｂの脚片３１ｂ，３１ｂの内側面には、永久磁石２３の一方の磁極が、２個の分割ヨーク３１Ａ，３１Ｂに跨るように当接している。この永久磁石２３の他方の磁極には、磁性材料により略板状に形成された補助ヨーク２４の一面が接触している。
【００２８】
２個の補助ヨーク２４は、コイル枠２６に巻かれたコイル２５を、上下両側から囲むように配置されている。コイル枠２６は絶縁材料により形成され、コイル２５が巻かれる筒状の巻胴部２６ａと、巻胴部２６ａの軸方向両端部に設けられた板状の鍔部２６ｂと、両鍔部２６ｂの上下方向に沿う両側縁から巻胴部２６ａと反対側に突出する板状の側部２６ｃとを備える。巻胴部２６ａの筒内には、磁性材料により形成されたプランジャ２７が、コイル枠２６の軸方向において進退自在に挿入されている。プランジャ２７の両端部は中央部に比べて幅が狭くなっており、磁性材料から矩形板状に形成された接極子２８ａ，２８ｂの嵌合孔にプランジャ２７の左右方向の端部をそれぞれ圧入することで、プランジャ２７の両端部に接極子２８ａ，２８ｂがかしめ固定される。接極子２８ａは、プランジャ２７の前進時に左側の分割ヨーク３１Ａの中央片３１ａに当接することによって、プランジャ２７の前方（図３の左側）への移動範囲を規制する。この時、他方の接極子２８ｂが補助ヨーク２４と接触することで、接極子２８ａ−ヨーク３０−永久磁石２３−補助ヨーク２４−接極子２８ｂ−プランジャ２７の経路で閉磁路が形成されるので、プランジャ２７はその位置で保持される。また接極子２８ｂは、プランジャ２７の後進時に右側の分割ヨーク３１Ｂの中央片３１ａに当接することによって、プランジャ２７の後方（図３の右側）への移動範囲を規制する。この時、他方の接極子２８ａは補助ヨーク２４の左端部に微少なギャップを介して対向し、接極子２８ｂ−ヨーク３０−永久磁石２３−補助ヨーク２４−接極子２８ａ−プランジャ２７の経路で閉磁路が形成されるので、プランジャ２７はその位置で保持される。
【００２９】
ここで、コイル２５は１巻線型であって、コイル２５への通電方向に応じてプランジャ２７が前進又は後進する。そして、接極子２８ａ又は２８ｂがヨーク３０に当接する位置までプランジャ２７が前進又は後進すると、コイル２５への通電が停止されても、永久磁石２３の磁力によってプランジャ２７が停止位置で保持されるのである。
【００３０】
この有極電磁石２０は、図２及び図３に示すように、ボディ１１におけるカバー１２との対向面に突設された仕切片１１ａ，１１ｂの間に配置される。有極電磁石２０と仕切片１１ｂとの間には、板ばねよりなる緩衝ばね１６が取り付けられており、有極電磁石２０は仕切片１１ａに押し付けられた状態で収納されている。したがって、緩衝ばね１６で有極電磁石２０が位置決めされるとともに、プランジャ２７の進退に伴う振動が緩衝ばね１６によって緩和されることになる。
【００３１】
次に、有極電磁石２０が備えるプランジャ２７の前進動作又は後進動作に応じて、後述する接点部ｒ１のオン／オフを切り替える開閉機構部７０について説明する。
【００３２】
開閉機構部７０は、プランジャ２７の進退に応じて接点部ｒ１のオン／オフを切り替えるものであり、プランジャ２７の進退に応じて回転する連動レバー３２と、接点部ｒ１に接圧を与える接圧ばね３５を備える。
【００３３】
連動レバー３２は絶縁性の合成樹脂成形品からなり、プランジャ２７の先端部（図３中の左端部）に取り付けた軸ピン３３が軸孔（図示せず）に挿入されることによって、プランジャ２７の先端部に回転自在に連結されている。また連動レバー３２は、コイル枠２６に設けた一対の支持片２６ｄに通された軸ピン３４を、中間部に設けられた軸孔（図示せず）に通すことで、コイル枠２６に回転自在に支持されている。軸ピン３３，３４は互いに平行であって、プランジャ２７が前進又は後進することによって、連動レバー３２が軸ピン３４を中心に揺動するのである。
【００３４】
図１（ｂ）及び図３に示すように、連動レバー３２の本体部３２ａの左側には可動接触子４０が配置されている。可動接触子４０は連動レバー３２に保持され、連動レバー３２の回転動作に応じて、連動レバー３２とともに回転する。可動接触子４０は長尺の板金からなり、長手方向の一端側（下端側）には可動接点４１が固着され、他端側（上端側）には編組銅線よりなる可撓電線４２の一端が固着されている。可動接触子４０の上端部は前側に折り曲げられ、この折曲部４０ａに設けられた切欠溝４０ｂに可撓電線４２の中間部が差し込まれている。
【００３５】
可撓電線４２は、可動接触子４０との固着部位から上側に導かれて切欠溝４０ｂに挿入された後、下側に曲げ返されて、その先端はケース１０内の下側位置に固定された端子板４３に固着されている。この端子板４３には座金付きの端子ねじ４４が取り付けられており、端子ねじ４４はケース１０の外部に露出している。ここで、可撓電線４２は、連動レバー３２及び可動接触子４０の揺動動作を妨げないように、連動レバー３２及び可動接触子４０とケース１０の内面との間に通されている。尚、本実施形態では切欠溝４０ｂがボディ１１側に開口しているので、可撓電線４２は、切欠溝４０ｂに挿通された部位からカバー１２側に曲げ返されて、連動レバー３２及び可動接触子４０とカバー１２の内面との間に通されている。そして、図１に示すように、ケース１０（本実施形態ではカバー１２）の内面には、下側に曲げ返された可撓電線４２に当接して、可撓電線４２から可動接触子４０に加わる張力を低減させるリブ１２ａが前後方向に沿って形成されている。
【００３６】
また連動レバー３２の本体部３２ａには、可動接触子４０との対向面が開口する略コ型のばね受け部３８が一体に設けられている。このばね受け部３８はコイルばねからなる接圧ばね３５の一端側を保持し、接圧ばね３５の他端側は、本体部３２ａとばね受け部３８との間に挿入される可動接触子４０に接触する。可動接触子４０の長手方向の中間部には、接圧ばね３５のばね座となる突部（図示せず）が設けられ、この突部よりも下方には、連動レバー３２の位置決め突起３２ｃが挿入される貫通孔４０ｃが設けられている。また、連動レバー３２には、位置決め突起３２ｃの側方に、表面が湾曲して可動接触子４０が当接する支点突起３２ｄが設けられ、この支点突起３２ｄに可動接触子４０が当接するようになっている。
【００３７】
また連動レバー３２の上端には、ケース１０に開口する表示窓１０ａに臨む表示片３６が一体に設けられている。プランジャ２７の進退動作に応じて連動レバー３２が回転すると、表示窓１０ａから露出する表示片３６の部位が変化する。接点部ｒ１のオン時に表示窓１０ａから露出する表示片３６の部位には例えば「ＯＮ」などの文字が表記され、接点部ｒ１のオフ時に表示窓１０ａから露出する表示片３６の部位には例えば「ＯＦＦ」などの文字が表記されている。さらに、表示片３６において「ＯＮ」、「ＯＦＦ」の文字の間であって、表示窓１０ａから常時露出している部位には、操作溝３６ａが形成されている。而して、ドライバの先端部などの工具を表示窓１０ａに挿入して操作溝３６ａに係合させることによって、ケース１０の外部から連動レバー３２を手動で揺動させることができ、連動レバー３２の手動操作に応じて接点部ｒ１を開閉できるようにしてある。
【００３８】
可動接点４１に対向する固定接点５１は、ボディ１１に取り付けられた固定端子板５０の一端部に固着され、可動接触子４０の回転に応じて可動接点４１と接触又は開離する。固定端子板５０の他端部はケース１０の外部に露出しており、この露出部位には座金付きの端子ねじ５２が取り付けられている。ここにおいて、可動接点４１と固定接点５１とで接点部ｒ１が構成され、本実施形態のリモコンリレー１は１極の接点部ｒ１を備えている。尚、端子板４３と固定端子板５０はケース１０の幅方向に並べて収納されており、両者の間には絶縁性の合成樹脂からなる隔壁１８が取り付けられ、端子板４３と固定端子板５０の間の絶縁を確保している。
【００３９】
ところで、上述した有極電磁石２０のコイル２５は１巻線型であるので、プランジャ２７を進退させるには、コイル２５への通電方向を反転させる必要がある。したがって、図７（ｂ）に示すように、コイル２５には２種類の給電経路を択一的に選択する切替接点ｒ２が接続され、かつ切替接点ｒ２により選択された各給電経路にはそれぞれ逆流阻止要素としてのダイオードＤ１，Ｄ２が接続されている。ダイオードＤ１，Ｄ２における切替接点ｒ２と反対側の端子は共通に接続されている。ダイオードＤ１，Ｄ２は各給電経路を通過する電流が互いに逆向きになる関係に接続され、一方の給電経路で切替接点ｒ２→コイル２５の向きに電流が流れるとすれば、他方の給電経路ではコイル２５→切替接点ｒ２の向きに電流を流すようになっている。また、一方のダイオードＤ２のアノードと切替接点ｒ２の共通接点との間にはコンデンサＣと抵抗Ｒとの直列回路であるリセット用の微分回路が接続される。この回路構成により、有極電磁石２０のコイル２５への通電方向が切り替えられることによって、可動接点４１と固定接点５１とからなる接点部ｒ１を開閉することができる。
【００４０】
上述のようにコイル２５への通電方向が切替接点ｒ２により選択されるから、コイル２５への通電時にプランジャ２７の進退の位置が逆転するような通電方向が選択されるように切替接点ｒ２をプランジャ２７の進退に応じて切り換える必要がある。すなわち、プランジャ２７の進退と切替接点ｒ２とを連動させる必要がある。そこで、このリモコンリレー１では、連動レバー３２に接点操作片３７が設けられ、この接点操作片３７によって切替接点ｒ２の切替操作を行っている。
【００４１】
切替接点ｒ２及びその切替回路を有する切替回路ブロック６０は、有極電磁石２０の上面に載置される樹脂成形品の基台６１に、切替接点ｒ２や、切替接点ｒ２の切替回路が形成された接点基板（図示せず）を保持させている。基台６１には、２枚の固定接点板６３ａ，６３ｂと、各固定接点板６３ａ，６３ｂにそれぞれ対向する可動接点板６４ａ，６４ｂとが取り付けられている。この基台６１の周部には切欠６１ａが設けられ、コイル枠２６から上方に突設されたリブ２６ｆを切欠６１ａに係合させた状態で、両者を熱着することによって、基台６１がコイル枠２６に固定される。可動接点板６４ａ，６４ｂは、略コ形の接点支持板６４の両脚片にそれぞれ設けられ、対応する固定接点板６３ａ，６３ｂに対して接触する向きのばね力を有している。ここで、連動レバー３２の接点操作片３７は可動接点板６４ａ，６４ｂの間に挿入されている。そして、連動レバー３２がプランジャ２７の進退に伴って揺動すると、連動レバー３２の前進位置及び後進位置では、何れか一方の可動接点板６４ａ，６４ｂが接点操作片３７に押されて、固定接点板６３ａ，６３ｂから離れ、通電方向が切り替えられるのである。
【００４２】
また基台６１には一対のコイル端子板６５が取り付けられ、各コイル端子板６５には座金付きの端子ねじ６６が設けられている。したがって、コイル端子板６５を通して入力される外部信号を受けてコイル２５に通電すると、通電方向に応じてプランジャ２７が進退するのである。
【００４３】
次に、このリモコンリレー１の動作を説明する。まず、プランジャ２７が前方（図３中の左側）へ突出する向きにコイル２５が通電されると、プランジャ２７の突出に伴って連動レバー３２が軸ピン３３を中心として図３中の時計回りに回転し、可動接点４１が固定接点５１に接触する。ここで、可動接触子４０は支点突起３２ｄに当接しており、接圧ばね３５によって支点突起３２ｄを中心として右回りに回転させる力が付与されているから、可動接点４１の固定接点５１に対する接触圧が接圧ばね３５によって得られることになる。また、連動レバー３２の回転に伴い、可動接点板６４ｂが接点操作片３７に押されることによって、可動接点板６４ｂが固定接点板６３ｂから離れた状態となる。この時、コイル２５への通電方向としてプランジャ２７を後進させる向きのみが許可された状態になるため、コイル２５への通電が停止されるが、永久磁石２３の磁力によって、接点部ｒ１の閉極状態が維持される。
【００４４】
一方、コイル２５への通電方向を反転させると、プランジャ２７が後進、つまり図３中の右側に移動して、連動レバー３２が軸ピン３３を中心に図３中の反時計回りに回転するから、可動接点４１が固定接点５１から離れて接点部ｒ１が開極する。また、連動レバー３２の回転に伴い、可動接点板６４ａが接点操作片３７に押されることによって、可動接点板６４ａが固定接点板６３ａから離れた状態となる。この時、コイル２５への通電方向としてプランジャ２７を前進させる向きのみが許可された状態となるため、コイル２５への通電が停止されるが、永久磁石２３の磁力によって、接点部ｒ１の開極状態が維持される。
【００４５】
上述のように、本実施形態のリモコンリレー１は、コイル２５への通電に応じてプランジャ２７が進退する有極電磁石２０と、プランジャ２７の進退に応じて回転する連動レバー３２を備えている。この連動レバー３２には、可動接点４１を具備する可動接触子４０が保持され、可動接触子４０はプランジャ２７の進退動作に応じて連動レバー３２とともに回転し、連動レバー３２の回転に応じて可動接点４１が固定接点５１と接触又は開離する。この可動接触子４０には可撓電線４２の一端側が固着され、可撓電線４２の他端側は定位置に固定された端子板４３に固着される。そして、本実施形態のリモコンリレー１では、可撓電線４２の張力による可動接触子４０の傾きを抑制する傾き抑制手段としてリブ１２ａ（突起）がカバー１２の内面に設けられている。
【００４６】
これにより、可撓電線４２の張力によって可動接触子４０の上部がカバー４０側に引っ張られたとしても、リブ１２ａが可撓電線４２と当接して、可撓電線４２を押さえることによって、可撓電線４２から可動接触子４０に加わる張力を低減することができる。したがって、可撓電線４２の張力による可動接触子４０の傾きを低減でき、可動接触子４０に設けた可動接点４１と固定接点５１との接触位置が安定するから、接圧が安定する。また接点バウンスが起こりにくくなるから、可動接点４１及び固定接点５１の消耗に偏りができにくくなって、開閉寿命の低下を抑制できる。尚、本実施形態では可撓電線４２の中間部が、可動接触子４０の切欠溝４０ｂに通された後、下側に曲げ返されており、切欠溝４０ｂはカバー１２側に開口しているので、リブ１２ａはカバー１２に設けられている。したがって、可撓電線４２を通す切欠溝４０ｂがカバー１２側に開口している場合は、ボディ１１側に傾き抑制手段としての突起が設けられればよい。すなわち、ケース１０の内面において可撓電線４２が曲げ返された側に突起を設けておけば、この突起が可撓電線４２と当接して、可撓電線４２に加わる張力を低減することができる。
【００４７】
ところで、上述の実施形態では傾き抑制手段としての突起がケース１０の内面に設けられているが、ケース１０の内面以外に傾き抑制手段を設けてもよい。例えば、図５に示すように、可撓電線４２に当接することで、可撓電線４２から可動接触子４０に加わる張力を低減するリブ３２ｆが連動レバー３２と一体に設けられてもよい。傾き抑制手段としてのリブ３２ｆ（突起）は、連動レバー３２の本体部３２ａの右側縁に設けられ、略Ｌ字形に形成されて、その先端部は前方に突出する。而して、可動接触子４０の切欠溝４０ｂに中間部を通され、下側に曲げ返された可撓電線４２は連動レバー３２と一体に設けられたリブ３２ｆに当接し、リブ３２ｆによって可撓電線４２から可動接触子４０に加わる張力が低減される。
【００４８】
これにより、可撓電線４２の張力によって可動接触子４０の上部がカバー４０側に引っ張られたとしても、リブ３２ｆが可撓電線４２と当接して、可撓電線４２を押さえることによって、可動接触子４０に加わる張力を低減することができる。したがって、可撓電線４２の張力による可動接触子４０の傾きを抑制することができ、可動接触子４０に設けた可動接点４１と固定接点５１との接触位置が安定するから、接圧が安定する。また接点バウンスが起こりにくくなるから、可動接点４１及び固定接点５１の消耗に偏りができにくくなって、開閉寿命の低下を抑制できる。
【００４９】
また上述のリモコンリレー１では、傾き抑制手段が可撓電線４２に当接することで、可撓電線４２から可動接触子４０に加わる張力を低減しているが、傾き抑制手段としての突起が可動接触子４０に当接することで、可動接触子４０の傾きを直接抑制してもよい。すなわち、図６（ａ）（ｂ）に示すように、ボディ１１の内面には、可動接触子４０の下端側の部位に当接するリブ１１ｃが前後方向に沿って設けられている。
【００５０】
これにより、可撓電線４２の張力を受けて、可撓電線４２を曲げ返した方向に可動接触子４０の上部が引っ張られたとしても、可動接触子４０の下端側の部位にリブ１１ｃが当接することで、可動接触子４０の傾きを抑制することができる。したがって、可動接触子４０に設けた可動接点４１と固定接点５１との接触位置が安定するから、接圧が安定し、また接点バウンスが起こりにくくなるから、可動接点４１及び固定接点５１の消耗に偏りができにくくなって、開閉寿命の低下を抑制できる。さらに、可撓電線４２にリブ１２ａやリブ３２ｆを当接させる場合は可撓電線４２がこすれて摩耗する可能性があるが、図６の形態ではリブ１１ｃを可動接触子４０に当接させているので、可撓電線４２がこすれて摩耗することはない。
【００５１】
次に、上述のリモコンリレー１が使用される遠隔監視制御システムについて図７（ａ）及び図８を参照して説明する。
【００５２】
図７（ａ）は遠隔監視制御システムの概略的なシステム構成図である。本システムでは、２線式の伝送線Ｌ１に、伝送ユニット１００と、操作スイッチＳＷ１，ＳＷ２の状態を監視する操作用端末器１０１と、上述のリモコンリレー１により照明器具のような負荷１０４への給電を制御する制御用端末器１０２とが接続されている。ここで、図７（ａ）中の１０３はリレー駆動用の電源トランスである。尚、図７（ａ）のシステム構成図では、操作用端末器１０１および制御用端末器１０２が１台ずつしか接続されていないが、各端末器１０１，１０２の台数はシステムの規模に応じて適宜変更が可能である。
【００５３】
この遠隔監視制御システムでは、伝送ユニット１００から図８（ａ）に示すような形式を有した伝送信号Ｖｓを送出することにより、各端末器１０１，１０２との間でデータの授受を行う。伝送信号Ｖｓは、スタートパルスＳＴ、信号のモードを示すモードデータＭＤ、アドレスデータＡＤ、負荷１０４の制御内容を示す制御データＣＤ、エラー訂正符号ＣＳ、各端末器１０１，１０２から返送信号を返送するための返送待機期間ＷＴからなる。この伝送信号Ｖｓは複極性（±２４Ｖ）の時分割多重信号であり、パルス幅変調によってデータが伝送される。
【００５４】
各端末器１０１，１０２では、２線式の伝送線Ｌ１を介して受信された伝送信号ＶｓのアドレスデータＡＤに含まれるアドレスが、予め設定された自己のアドレスと一致したときに、その伝送信号Ｖｓの制御データＣＤを取り込む。また各端末器１０１，１０２は、受信した伝送信号Ｖｓが自機宛ての場合、伝送信号Ｖｓの返送待機期間ＷＴに同期して返送信号を電流モード信号（伝送線Ｌ１の線間を適当な低インピーダンスを介して短絡して送出される信号）として返送する。
【００５５】
操作用端末器１０１では、監視対象の操作スイッチＳＷ１，ＳＷ２が操作されると、通常時に伝送されてくる伝送信号Ｖｓ（図８（ｂ）参照）のスタートパルスＳＴに同期して、図８（ｃ）に示すように割り込み信号Ｖｉを電流モードにより送出する。
【００５６】
つまり伝送ユニット１００は、信号送信手段と、割り込み処理手段とを備え、信号送信手段により、モードデータＭＤをポーリングモードとして常時監視する対象の端末器或いはダミーのアドレスデータＡＤを持つ伝送信号Ｖｓを常時送出する。また、ポーリングモードにおいて割り込み信号Ｖｉが受信されると、伝送ユニット１００の割り込み処理手段はグループアドレスを持つ伝送信号Ｖｓを順次送信し、割り込み信号Ｖｉを送信した操作用端末器１０１を検出する。尚、グループアドレスとは、操作用端末器１０１をグループ単位で識別するために用いられるアドレスである。
【００５７】
割り込み信号Ｖｉを送出した操作用端末器１０１は、自己が属するグループアドレスのアクセス時に自己のアドレスを返送待機期間ＷＴに返送信号として返送する。この返送信号を受信した伝送ユニット１００では、送られてきたアドレスデータをもとに割り込み信号Ｖｉを発生した操作用端末器１０１を特定する。割り込みをかけた端末器が特定されると、伝送ユニット１００は、この操作用端末器１０１をアクセスする伝送信号Ｖｓを送出し、当該操作用端末器１０１から返送待機期間ＷＴに操作スイッチＳＷ１…の操作データを監視データとして返送させる。
【００５８】
伝送ユニット１００では、一連の割り込み処理を経て監視データを受信すると、当該操作用端末器１０１と予め対応付けられた制御用端末器１０２への制御データＣＤを監視データに基づいて作成する。そして、伝送ユニット１００は、作成した制御データＣＤを、当該制御用端末器１０２のアドレスデータＡＤとともに伝送信号Ｖｓにより時分割多重伝送する。この伝送信号Ｖｓによりアクセスされた制御用端末器１０２は、制御データＣＤの制御内容に応じたリモコンリレー１を制御駆動して、そのリレー接点により負荷１０４への電源供給をオン／オフする。
【００５９】
このように遠隔監視制御システムでは操作用端末器１０１の操作スイッチＳＷ１…の操作に応じて、対応する制御用端末器１０２によりリモコンリレー１を介して負荷１０４への電源供給をオン／オフすることができるのである。
このリモコンリレーにおいて、傾き抑制手段は、ケースの内面に設けられ、可動接触子に当接することによって、この可動接触子の傾きを抑制する突出部からなることも好ましい。
【符号の説明】
【００６０】
１  リモコンリレー
１０  ケース
１１  ボディ
１１ｃ  リブ（傾き抑制手段、突起）
１２  カバー
１２ａ  リブ（傾き抑制手段、突起）
２０  有極電磁石（電磁石装置）
２５  コイル
２７  プランジャ
３２  連動レバー
３２ｆ  リブ（傾き抑制手段、突起）
３３，３４  軸ピン
４０  可動接触子
４０ｂ  切欠溝
４１  可動接点
４２  可撓電線
４３  端子板
５１  固定接点
【図１】
0005559603.tif 000002
【図２】
0005559603.tif 000003
【図３】
0005559603.tif 000004
【図４】
0005559603.tif 000005
【図５】
0005559603.tif 000006
【図６】
0005559603.tif 000007
【図７】
0005559603.tif 000008
【図８】
0005559603.tif 000009
【図９】
0005559603.tif 000010